(57)【要約】 【課題】     特定の人物または団体との間での郵便物発送月日及び同収受月日を記録し、その人物または団体に対する次回郵便物発送の要否を判断するための材料とするとともに、その判断結果を記すことができる郵便物記録簿の提供を課題とする。【解決手段】    紙、セルロイド、プラスティック等薄板にて形成されたシートと、このシートの一方端において記された複数列の氏名欄と、この各氏名欄に対応して記された郵便物収受月日を記入する郵便物収受欄とで成したことを特徴とした郵便物記録簿。【選択図】  図１
0003170550.tif 000002
【実用新案登録請求の範囲】
【請求項１】
紙、セルロイド、プラスティック等薄板にて形成されたシートと、このシートの一方端において記された複数列の氏名欄と、この各氏名欄に対応して記された郵便物収受月日を記入する郵便物収受欄とで成したことを特徴とした郵便物記録簿。
【請求項２】
前記シートは、氏名欄に対応して記された住所欄とで成したことを特徴とした請求項１記載の郵便物記録簿。
【請求項３】
前記シートは、氏名欄に対応して記された郵便物発送月日を記入する郵便物発送欄とで成したことを特徴とした請求項１〜２のいずれか１記載の郵便物記録簿。
【請求項４】
前記シートは、氏名欄に対応して記された次回郵便物発送の要否を記入する次回郵便物発送要否欄とで成したことを特徴とした請求項１〜３のいずれか１記載の郵便物記録簿。
【請求項５】
前記シートは、郵便物収受欄と郵便物発送欄に予め一定期間の月日を記し、且つ郵便物収受時と同発送時の該当月日に印を記すようにしたことを特徴とした請求項１〜４のいずれか１記載の郵便物記録簿。
【請求項６】
前記シートは、次回郵便物発送要否欄に予め要否を区分する文字を記し、いずれか一方に印を記すようにしたことを特徴とした請求項１〜５のいずれか１記載の郵便物記録簿。
【請求項７】
前記シートは、氏名欄、住所欄、郵便物収受欄、郵便物発送欄及び次回郵便物発送要否欄が、シートの横方向に記されたことを特徴とした請求項１〜６のいずれか１記載の郵便物記録簿。
【請求項８】
前記シートは、氏名欄、住所欄、郵便物収受欄、郵便物発送欄及び次回郵便物発送要否欄が、シートの縦方向に記されたことを特徴とした請求項１〜６のいずれか１記載の郵便物記録簿。
【考案の詳細な説明】
【技術分野】
【０００１】
本考案は、郵便物発送月日と同収受月日、及び次回郵便物発送要否を記録する郵便物記録簿に関する。
【背景技術】
【０００２】
一般的な郵便物の記録は、過去の郵便物収受月日のみを記入し、それを新たに郵便物送付の際の参考とするのが普通である。
【考案の概要】
【考案が解決しようとする課題】
【０００３】
本考案は、特定の人物または団体との間での郵便物発送月日及び同収受月日を記録し、その人物または団体に対する次回郵便物発送の要否を判断するための材料とするとともに、その判断結果を記すことができる郵便物記録簿の提供を課題とする。
【課題を解決するための手段】
【０００４】
本考案は、紙、セルロイド、プラスティック等薄板にて形成されたシートと、このシートの一方端において記された複数列の氏名欄と、この各氏名欄に対応して記された郵便物収受月日を記入する郵便物収受欄とで成したことを特徴としたものである。
さらに本考案は、シートを氏名欄に対応して記された住所欄とで成したものである。
また本考案は、シートを氏名欄に対応して記された郵便物発送月日を記入する郵便物発送欄とで成したものである。
また本考案は、シートを氏名欄に対応して記された次回郵便物発送の要否を記入する次回郵便物発送要否欄とで成したものである。
また本考案は、シートを郵便物収受欄と郵便物発送欄に予め一定期間の月日を記し、且つ郵便物収受時と同発送時の該当月日に印を記すようにしたものである。
さらに本考案は、シートを次回郵便物発送要否欄に予め要否を区分する文字を記し、いずれか一方に印を記すようにしたものである。
さらに本考案は、シートを氏名欄、住所欄、郵便物収受欄、郵便物発送欄及び次回郵便物発送要否欄が、シートの横方向に記されたものである。
また本考案は、シートを氏名欄、住所欄、郵便物収受欄、郵便物発送欄及び次回郵便物発送要否欄が、シートの縦方向に記されたものである。
ページ（２）
【考案の効果】
【０００５】
（１）請求項１により、紙、セルロイド、プラスティック等薄板にて形成されたシートからなる郵便物記録簿には、複数列の氏名欄に対応して郵便物収受月日を記入しているので、後日、収受の事実を確認できるとともに、発送元が送付した月日を推定するための資料とすることができる。
（２）請求項２により、シートには氏名欄に対応して住所を記入しているので、同姓名の人物を区別することができる。
（３）請求項３により、シートには氏名欄に対応して郵便物発送月日を記入しているので、後日、発送の事実を確認できるとともに、送付先へ郵便物が到達した日を推定する場合の資料とすることができる。
（４）請求項４により、シートには氏名欄に対応して次回郵便物発送の要否を記入しているので、後日、郵便物の発送が必要な送付先を即座に抽出できる。
（５）請求項５により、シートには郵便物収受欄と郵便物発送欄に予め一定期間の月日を記し、且つ郵便物収受時と同発送時の該当月日に印を記すことができるので、収受日と発送日の記入が容易で、且つ両者の比較が簡単・明瞭であるので、次回郵便物発送の要否を決定する場合の資料とすることができる。
（６）請求項６により、シートには次回郵便物発送要否欄に予め要否を区分する文字を記し、且つ発送の要否を判断した結果に該当するいずれか一方に印を記すことができるので、次回発送要否の記入が容易で、且つ要否が簡単・明瞭にわかる。
（７）請求項７により、シートには氏名欄、住所欄、郵便物収受欄、郵便物発送欄及び次回郵便物発送要否欄を、シートの横方向に記すので、氏名欄に対比する住所欄、郵便物収受欄、郵便物発送欄及び次回郵便物発送要否欄が明瞭にわかる。
（８）請求項８により、シートには氏名欄、住所欄、郵便物収受欄、郵便物発送欄及び次回郵便物発送要否欄を、シートの縦方向に記すので、氏名欄に対比する住所欄、郵便物収受欄、郵便物発送欄及び次回郵便物発送要否欄が明瞭にわかる。
【図面の簡単な説明】
【０００６】
【図１】本考案郵便物記録簿を示す部分図
【図２】同上の異なる実施形態を示す部分図
【考案を実施するための形態】
【０００７】
以下、本考案を実施例として掲げた図面をもとに説明する。
図１は、本考案の郵便物記録簿を示す部分図であって、シート１は紙、セルロイド、プラスティック等薄板にて形成されており、シート１の縦方向に記した複数列の氏名欄２に対応して、シート１の横方向に、住所欄３、郵便物収受月日を記入する郵便物収受欄４、郵便物発送月日を記入する郵便物発送欄５、次回郵便物発送の要否を記入する次回郵便物発送要否欄６を設ける。郵便物収受欄４には予め一定期間の月日を記した欄４ａを設けるとともに、郵便物発送欄５にも予め一定期間の月日を記した欄５ａを設け、さらに郵便物収受時に該当月日に印を記す欄４ｂ及び郵便物発送時に該当月日に印を記す５ｂを設ける。また、次回郵便物発送要否欄６には、予め要否を区分する文字を記した欄６ａを設け、いずれか該当する一方に印を記す欄６ｂを設ける。
図２は異なる実施例を示し、シート１の横方向に記した複数列の氏名欄２に対して、シート１の縦方向に住所欄３、郵便物収受欄４、郵便物発送欄５及び次回郵便物発送要否欄６を記しており、図１、図２のいずれの形態でもよい。
【符号の説明】
【０００８】
１  シート
２  氏名欄
３  住所欄
４  郵便物収受欄
５  郵便物発送欄
６  次回郵便物発送要否欄
【図１】
0003170550.tif 000003
【図２】
0003170550.tif 000004